(57)【要約】      （修正有）【課題】滑り止め係止具の携帯忘れを防止するとともに、美的であり、使用上不便を感じない滑り止め係止具を提供する。【解決手段】杖又は傘に設けられたストラップ１に取り付けられる滑り止め係止具８であって、可撓性を有し、かつ、筒形状もしくは釣鐘形状をなし、杖の柄の先端部または傘の柄の先端部を被覆するためのキャップ部６と、キャップ部６に取り付けられた、被取付け部７とを有する。ストラップ１は、滑り止め係止具８と、被取付け部７を介して滑り止め係止具８を吊持する環状紐部４とを含む。【選択図】図５
0003229852.tif 000002
【実用新案登録請求の範囲】
【請求項１】
杖又は傘に取り付けられるストラップであって、
可撓性を有し、かつ、筒形状もしくは釣鐘形状をなし、前記杖の柄の先端部または前記傘の柄の先端部を被覆するためのキャッ部と、前記キャップ部に取り付けられた被取付け部とを有する滑り止め係止具と、
前記被取付け部を介して前記滑り止め係止部を吊持する環状紐部と、を含む、
ストラップ。
【請求項２】
前記環状紐部は、摩擦係数を高めるための樹脂が表面に形成されている請求項１に記載のストラップ。
【請求項３】
杖又は傘に設けられたストラップに取り付けられる滑り止め係止具であって、
可撓性を有し、かつ、筒形状もしくは釣鐘形状をなし、前記杖の柄の先端部または前記傘の柄の先端部を被覆するためのキャップ部と、前記キャップ部に取り付けられた被取付け部とを有し、
前記被取付け部を介して前記ストラップの環状紐部に吊持される、
滑り止め係止具。
【考案の詳細な説明】
【技術分野】
【０００１】  本考案は、杖や傘を病院、レジ場所等のカウンターに引っ掛ける際に、傾斜防止を行うストラップに関するものである。
【背景技術】
【０００２】  高齢化が進み、杖や傘が老人に取って必要であり、病院や銀行やスーパーのレジ場所で支払い等手続きの際、その杖や傘の置き場所に苦慮する。
カウンターに引っ掛けても、壁の側面にもたれ掛けても、柄は傾斜脱落する。
一部の病院、銀行、郵便局等にはカウンターの平面に滑り止めシートが貼っていたりするが、設置場所が決められて居り設置場所を探すのに右往左往する。また、傾斜防止のフックが設置されているところもあるが、極めて少ない。
この課題を解決するため、特許文献１に示されたように柄にかぶせる滑り止め具や、特許文献２に示されているようなカウンターや壁との間に挟み込む滑り止めシートが発案された。
【先行技術文献】
【特許文献】
【０００３】
【特許文献１】実用新案登録第３２１４９８４号公報
【特許文献２】特開２００６−２３６８５号公報
【考案の概要】
【考案が解決しようとする課題】
【０００４】  特許文献１の柄に被せる滑り止め具は極めて有効であるが、柄３の先端部の個々の大きさに対応できない、また、紛失することや、杖や傘とともに携帯することを失念することがある。
また、特許文献２の滑り止めシートは、タッグがぶら下がっているように見え、体裁が悪く、かつ、挟み込む動作に困難を覚える場合が多く実用性に欠けている。
本考案は、滑り止め係止具の携帯忘れを防止するとともに、美的であり、使用上不便を感じない滑り止め係止具を提供する。
【課題を解決するための手段】
【０００５】  本考案は、杖又は傘に取り付けられるストラップであって、可撓性を有し、かつ、筒形状もしくは釣鐘形状をなし、杖の柄の先端部または傘の柄の先端部を被覆するためのキャップ部と、キャップ部に取り付けられた被取付け部とを有する滑り止め係止具と、被取付け部を介して滑り止め係止部を吊持する環状紐部とを含むストラップである。【０００６】  また、本考案は、環状紐部は、摩擦係数を高めるための樹脂が表面に形成されているストラップである。【０００７】  また、本考案は、杖又は傘に設けられたストラップに取り付けられる滑り止め係止具であって、可撓性を有し、かつ、筒形状もしくは釣鐘形状をなし、杖の柄の先端部または傘の柄の先端部を被覆するためのキャッ部と、キャップ部に取り付けられた被取付け部とを有し、被取付け部を介してストラップの環状紐部に吊持される滑り止め係止具である。
【考案の効果】
【０００８】  本考案のストラップは、体裁よく滑り止めのためのキャップを杖または傘に吊持することができ、いつでも、どこでも、杖または傘の傾斜脱落を防止することができる。
【図面の簡単な説明】
【０００９】
【図１】本考案の実施例１に係るストラップを杖に取り付けた状態を示す側面図である。
【図２】本考案の実施例１に係るストラップを杖の柄に巻き付け、キャップを杖の柄の端部に被せた状態を示す側面図である。
【図３】本考案の実施例１に係るストラップを柄に巻き付け、キャップを柄の端部に被せた杖をカウンターに引っ掛けた使用状態を示す斜視図である。
【図４】本考案の実施例１に係るストラップを柄に巻き付け、キャップを柄の端部に被せた杖を壁に持たせかけた使用状態を示す斜視図である。
【図５】本考案の実施例１に係るストラップの構造を示す側面図である。
【図６】本考案の実施例２に係るストラップの構造を示す側面図である。
【考案を実施するための形態】
【実施例１】
【００１０】  以下、図１から図５を用いて実施例１に係るストラップ１の構成を説明する。
ストラップ１は、杖２の柄３の下部に取付けられている。
ストラップ１の環状紐部４は、結合部５を介して杖２に結合されている。
キャップ６とその端部に設けられた被取付け部７により滑り止め係止具８が構成されており、被取付け部７を介して環状紐部４に吊持されている。【００１１】  図２は、ストラップ１の環状紐部４を杖２の柄３に巻き付け、柄３の端部にキャップ６を被せた状態を示す側面図である【００１２】  図３は、ストラップ１の環状紐部４を柄３に巻き付け、キャップ６を柄３の端部に被せた杖２の柄３をカウンター１０に引っ掛けた使用状態を示す斜視図である。【００１３】  図４は、ストラップ１の環状紐部４を柄３に巻き付け、キャップ６を柄３の端部に被せた杖２をカウンター１０の下側の壁１１に持たせかけた使用状態を示す斜視図である。【００１４】  図５は、ストラップ１の構造を示す側面図である。キャップ６は、可撓性を有する、合成樹脂（シリコン）によって、成型された釣鐘状キャップであり、柄３の先端部に被せ、曲線のある柄の場合においても、滑り止め効果が有る。
なお、キャップ６の一部分にスリット１２を入れた。その理由は柄３の先端部の形状がメーカーにより異なるため、スリット１２により、フレキシブルに柄３の先端に被せる事が出来る。【００１５】  キャップ６の先端にはリング状の被取付け部７が一体に成形されており、環状紐部４を通すことにより、環状紐部４に滑り止め係止具８を吊持することができる。【００１６】  環状紐部４の両端には金属製のフック１３が固定されており、金属製のリング状の結合部５に両フック１３を引っかけることによってストラップ１を形成している。
【実施例２】
【００１７】    図６は、実施例２に係るストラップ１の構造を示す側面図である。【００１８】  キャップ６は、可撓性を有する、合成樹脂（シリコン）によって、成型された筒状キャップであり、柄３の先端部に被せ曲線のある柄の場合においても、滑り止め効果が有る。
なお、キャップ６の一部分にスリット１２を入れた。その理由は柄３の先端部の形状がメーカーにより異なるため、スリット１２により、フレキシブルに柄３の先端に被せる事が出来る。【００１９】  本実施例２は、キャップ６の形状のみが実施例１と異なり、筒形状をなしている。このため、釣鐘形状より成形が容易であり、製造コストが大きく削減できる。【００２０】  図５及び図６における環状紐部４は、基布に合成樹脂材（シリコン）をコーティング加工したものであり、その表面は、滑り止め効果を有する。よって、カウンター１０に引っ掛けても脱落せず、また、壁１１にもたれ懸けさせても滑り止め効果が有り傾斜脱落する事が無い。【００２１】  以上説明したように、本考案のストラップ１は、体裁よく滑り止めのためのキャップ６を杖２に吊持することができ、いつでも、どこでも、杖２の傾斜脱落を防止することができる係止具となる。
【符号の説明】
【００２２】  １  ストラップ
２  杖
３  柄
４  環状紐部
５  結合部
６  キャップ
７  被取付け部
８  滑り止め係止具
１０  カウンター
１１  壁
１２  スリット
１３  フック
【図１】
0003229852.tif 000003
【図２】
0003229852.tif 000004
【図３】
0003229852.tif 000005
【図４】
0003229852.tif 000006
【図５】
0003229852.tif 000007
【図６】
0003229852.tif 000008
【手続補正書】
【提出日】令和2年8月25日(2020.8.25)
【手続補正１】
【補正対象書類名】実用新案登録請求の範囲
【補正対象項目名】全文
【補正方法】変更
【補正の内容】
【実用新案登録請求の範囲】
【請求項１】
杖又は傘に取り付けられるストラップであって、
可撓性を有し、かつ、筒形状もしくは釣鐘形状をなし、前記杖の柄の先端部または前記傘の柄の先端部を被覆するためのキャップ部と、前記キャップ部に取り付けられた被取付け部とを有する滑り止め係止具と、
前記被取付け部を介して前記滑り止め係止部を吊持する環状紐部と、を含む、
ストラップ。
【請求項２】
前記環状紐部は、摩擦係数を高めるための樹脂が表面に形成されている請求項１に記載のストラップ。
【請求項３】
杖又は傘に設けられたストラップに取り付けられる滑り止め係止具であって、
可撓性を有し、かつ、筒形状もしくは釣鐘形状をなし、前記杖の柄の先端部または前記傘の柄の先端部を被覆するためのキャップ部と、前記キャップ部に取り付けられた被取付け部とを有し、
前記被取付け部を介して前記ストラップの環状紐部に吊持される、
滑り止め係止具。